(57)【要約】【課題】サービス事業者センタへの接続を容易にするとともに、サービス事業者センタを介して配信される企業広告が、利用者の好みに応じた内容の広告として配信されるようにすることである。【解決手段】電話機による通信を制御する制御装置と複数の企業の広告を記憶すると共にその中から選択した広告を電話機へ送信する広告配信手段とを有するサービス事業者センタが提供する音楽・映像が、企業名と共に配信されるように構成されている広告配信システムにおいて、サービス事業者センタに接続するための、電話番号、ＩＤ番号、パスワードが記載された板状で矩形の形状を有する情報カードであって、情報カードの表面には、配信される音楽・映像の内容が表わされていることを特徴とする。【選択図】図１
0003107644.tif 000002
【実用新案登録請求の範囲】
【請求項１】
通話サービスを提供するサービス事業者センタが、通話接続待機中に音楽・映像を、企業名と共に配信するように構成されたシステムで使用される情報カードであって、
前記情報カードの背面には、前記サービス事業者センタに接続するための、電話番号、ＩＤ番号、パスワードが記載され、前記情報カードの表面には、前記ＩＤ番号に関連付けられて配信される前記音楽・映像の内容および／または広告情報が表示されていることを特徴とする情報カード。
【請求項２】
前記情報カードは、さらに、コード情報を有していて、前記コード情報がカード表面に記載されていることを特徴とする請求項１に記載の情報カード。
【請求項３】
前記電話番号、ＩＤ番号、パスワードは２次元バーコードで記載され、前記２次元バーコードを読み取る手段を有するデジタルカメラ付きの携帯電話端末で読み込めるようにしたことを特徴とする請求項１または２に記載の情報カード。
【請求項４】
前記２次元バーコードに記載された情報は暗号化されていることを特徴とする請求項１ないし３のいずれかに記載の情報カード。
【請求項５】
請求項１ないし４のいずれかに記載の情報カードと、前記情報カードを担持するように前記情報カードのサイズより大きく形成したホルダーと、袋状に形成した透明な収納袋と、を備え、前記情報カードおよび前記ホルダーを前記収納袋に収納して構成したことを特徴とする情報媒体。
【請求項６】
前記ホルダーは切込みを入れた係止部を有し、前記係止部に前記情報カードを係止していることを特徴とする請求項５に記載の情報媒体。
【請求項７】
前記情報カードおよび前記ホルダーは、ミシン目を介して一体的に形成されていることを特徴とする請求項５に記載の情報媒体。
【考案の詳細な説明】
【技術分野】
【０００１】
本考案は、サービス事業者センタにアクセスするための情報が記載されて販売されるカードおよび情報媒体に関する。
【背景技術】
【０００２】
従来、携帯電話の通話料がカードを利用して支払われる通信において、企業広告は、カードに企業広告を表示すること、または通信回線の接続中に企業広告を配信すること等が行われている。通信回線の接続中に企業広告を配信する方法については、特表２００３−５０５９３７号公報に、通信待機時、音声、文字もしくは画像商業情報を発生する方法が開示されている。この方法は、電話呼をチェックし、発呼が検出されたときに商業情報発生装置を発信又は着信通信システムと接続し、通信待機時において商業情報発生システムに商業情報を音声、文字、画像の形式で送出するものである。また、実用新案登録第３０７０２５１号公報には、プリペイドカード付きシートが開示されている。このシートは、用紙をＮ型に３つに折畳み、その用紙の折畳み対向紙片のうち、中紙と一方の外紙２とは擬似接着し、中紙と他の外紙とは一体に永久接着するものであり、折畳み対向紙片の内側面のうち、中紙の擬似接着面側には有価証券情報を印字し、この有価証券情報の印字部を含む中紙の一部とこれに一体に接着されている他の外紙の一部とに、これらが１枚のプリペイドカードとして抜き取り可能とする加工を施すことが示されている。
さらに、サービス事業者センタへの接続とそのサービスを受けるための接続手順は、サービスセンタへの電話番号の入力、ＩＤ番号の入力、パスワードの入力、サービスの選択コードの入力等が必要であり、特に携帯電話からこれらの操作をすることは、操作者にとって煩わしいものとなっている。尚、サービス事業者センタへの接続とそのサービスを受けるための接続操作を簡略化する方式は、特開平５−３１６２２８号公報に開示されている。
【特許文献１】特表２００３−５０５９３７号公報
【特許文献２】実用新案登録第３０７０２５１号公報
【特許文献３】特開平５−３１６２２８号公報
【考案の開示】
【考案が解決しようとする課題】
【０００３】
背景技術で述べた企業広告方法において、例えば、プリペイドカードに企業広告を表示した場合、ネットワークにプリペイド額を蓄積しておけば、プリペイドカードに広告を載せても宣伝効果が少く、また、通信回線の接続中に企業広告を配信した場合、一律に広告を配信するだけでは効果が薄いという問題点があった。さらに、サービス事業者センタへの接続とそのサービスを受けるための接続操作が煩雑で煩わしいという問題があった。
本考案は、サービス事業者センタへの接続を容易にするとともに、サービス事業者センタを介して接続される電話機からプリペイドカードを使用することにより配信される企業広告が、特定のカテゴリーに分類され、且つ、利用者の好みに応じた内容の広告が配信されるようにすることである。
【課題を解決するための手段】
【０００４】
前記目的を達成するために本考案の請求項１は、通話サービスを提供するサービス事業者センタが、通話接続待機中に音楽・映像を、企業名と共に配信するように構成されたシステムで使用される情報カードであって、前記情報カードの背面には、前記サービス事業者センタに接続するための、電話番号、ＩＤ番号、パスワードが記載され、前記情報カードの表面には、前記ＩＤ番号に関連付けられて配信される前記音楽・映像の内容および／または広告情報が表示されていることを特徴とする。
【０００５】
本考案の請求項２は、前記情報カードが、さらに、コード情報を有していて、前記コード情報がカード表面に記載されていることを特徴とする。
本考案の請求項３は、前記電話番号、ＩＤ番号、パスワードが２次元バーコードで記載され、前記２次元バーコードを読み取る手段を有するデジタルカメラ付きの携帯電話端末で読み込めるようにしたことを特徴とする。
本考案の請求項４は、前記２次元バーコードに記載された情報が暗号化されていることを特徴とする。
【０００６】
本考案の請求項５は、請求項１ないし４のいずれかに記載の情報カードと、前記情報カードを担持するように前記情報カードのサイズより大きく形成したホルダーと、袋状に形成した透明な収納袋と、を備え、前記情報カードおよび前記ホルダーを前記収納袋に収納して構成したことを特徴とする。
本考案の請求項６は、前記ホルダーが切込みを入れた係止部を有し、前記係止部に前記情報カードを係止していることを特徴とする。
本考案の請求項７は、前記情報カードおよび前記ホルダーが、ミシン目を介して一体的に形成されていることを特徴とする。
【考案の効果】
【０００７】
情報カードの表面に表わされるものは、例えばカードに施されたデザイン等であり、このようなデザインが、企業名とともに配信される音楽・映像（動画を含む）のそれぞれに関連付けられていることにより、広告がそれを受け取る利用者に高感度をもって受け取られるものになる。例えば、カードに表わされたものが利用者の好きなアーティストであり、電話機の利用者が受け取る広告が、企業名とともにそのアーティストが演奏する音楽・映像を配信する内容であった場合、広告は利用者が聞きたいと思う音楽・映像であり歓迎されるものになる。即ち、このような音楽・映像は、ＩＤ番号に関連付けられて配信され、サービスを受けることができる。
【０００８】
情報カードの表面に広告情報およびコード情報が記載されていた場合には、そのコード情報を入力するために、利用者は情報カードの表面に表わされた広告情報を見ることになり、広告効果が向上するものとなる。
また、電話番号、ＩＤ番号、パスワードが２次元バーコードで記載されている場合には、直接入力する手間が省け、操作者は気軽にサービス事業者センターへ接続して、サービスを受けることができ、事業者としては、より有効な広告手段を提供することが可能となる。尚、電話番号、ＩＤ番号、パスワードが通常では判読できない２次元バーコードで記録されており、さらに暗号化されている場合には、不正なアクセスが防止できる。
【０００９】
情報カードをホルダーに担持させるようにした情報媒体は、カード（プリペイドカードもしくはポストペイドカード等）が販売される際に好適なものとなる。即ち、情報カードの表面に表示されたデザインと同一デザインが、ホルダーに拡大されて表示されているので、店頭等に展示された場合に際立ち、情報カードの視認性を向上させて販売できる効果がある。
情報カードをホルダーに担持させる手段として、ホルダーに切込みを入れること、もしくは、ミシン目を入れることにより用途に応じて好適なものとすることができる。
【考案を実施するための最良の形態】
【００１０】
本考案の情報カードは、その背面にサービス事業者センタに接続するための、電話番号、ＩＤ番号、パスワードが記載され、表面にはＩＤ番号に関連付けられて配信される音楽・映像の内容および／または広告情報が表示されて広告の効果が向上したものとなっている。また、情報媒体は、情報カードを担持するホルダーとともに透明な収納袋に収納されているので、情報カードの視認性が向上したものとなる。
【実施例１】
【００１１】
以下、本考案を実施するための最良の形態について図を参照して説明する。
図１は、第１の形態の情報媒体１０を示した説明図であり、図２は、その構造を説明する説明図である。
これら図１および図２に示すように、この情報媒体１０は、表面に企業名とともに配信される音楽、映像（動画を含む）に関連付けられてデザイン３が施された情報カード１が、ホルダー２に担持されて透明な収納袋４に収納されて形成されている。情報カード１の背面には、そのシステムを管理するサービス事業者センタへの接続手段が記載されている。詳述すると、ホルダー２は、情報カード１より大きなサイズの薄い平板状部材（紙やプラスチックなど素材は特に限定されない）で形成され、ミシン目７（図中、破線で示す）を介して情報カード１と一体的に形成されている。尚、ミシン目７は、点線状の孔であり、必要に応じて切り取ることができる切取線である。
【００１２】
収納袋４の上方には、吊下げ部材に吊下げるための吊下げ用ホール９が設けられ、情報カード１およびホルダー２が収納袋４に収納された状態で吊下げられるものとなっている。このように、本考案の情報媒体１０は、店頭に吊下げて展示されるものであることから、このホルダー２に施されるデザイン３ａは、情報カード１のデザインと同一であることが好ましく、且つ、ある程度の際立つサイズ（１０ｃｍ×２０ｃｍ程度）で形成される。
【００１３】
収納袋４は、袋状に形成された透明部材からなり、折曲げ部６（図２中点線で示す）の下方に剥離紙５が貼り付けられた接着部８を備えている。これにより、情報媒体１０は、情報カード１およびホルダー２を収納した後に、剥離紙５を剥がすとともに折曲げ部で折曲げ、接着部８で貼り付けて情報カード１およびホルダー２を封鎖して形成される。
【００１４】
図３は、第２の形態の情報媒体１０を示した説明図である。この第２の形態の情報媒体１０は、情報カード１を担持する手段が第１の形態の情報媒体１０と異なる。即ち、ホルダー２は、２箇所切り込まれて形成された係止部１４（図１中左下）を有し、情報カード１は、その背面をホルダー２に対面させた状態で、それぞれの係止部１４にその角部が挿入されて保持されている。
【００１５】
本考案の情報媒体１０は、これを購入して使用することにより、電話機の利用者に広告が配信され、広告料が通話料を低減するシステムで利用されるものである。また、このシステムは、電話による通話を行うときに、相手側を呼び出している間に広告情報を発信者の電話機に送り広告配信のサービスを行う。尚、サービス事業者センタ（ＰＰＳ）への接続は、接続番号、ＩＤ番号、パスワードの入力等煩雑な操作が必要ないものとする。以下、そのシステムについて説明する。
【００１６】
図４広告配信システムの通信シーケンスを示す図である。
図４は、発信側電話機の操作が、最初のＰＰＳ（サービス事業者センター）への接続番号の入力（Ｓ１）、ＩＤ番号、パスワード、コード情報の入力（Ｓ４）、次に相手側の電話番号の入力（Ｓ７）と電話をかける操作が基本となるが、その都度上述した操作を行うのでは操作が煩雑となる。
【００１７】
そこで、サービス事業者センタでは、広告情報のコンテンツをサーバに用意して、サーバにアクセスするためのカードを作成する。カードは有償または無償で配布される。
カメラ付きの携帯電話を用いて、本サービスを利用して通話を行う操作者は、
（１）最初にサーバにアクセスして、ソフトウェアをダウンロードする。
（２）バーコード読込のソフトウェアを起動して、２次元バーコードの読み取りを行う。
この操作で、アクセス番号、ＩＤ番号、パスワードのデータが携帯電話に読み込まれる。
（３）通話を行う場合には、先にダウンロードしたソフトウェアから発信操作のソフトウェアを起動する。
この操作により、ソフトウェアは携帯電話からサーバへ接続して、サーバの要求に対して、ＩＤ番号、パスワードを送出する。
（４）サーバに接続後、音声および携帯電話の画面上に相手先の電話番号の入力要求の表示ができる。
相手先の電話番号は、携帯電話に登録されている電話番号からの選択またはダイヤルボタンの操作により入力する。
（５）サーバからカードの表面に記載されたコード番号の入力要求が音声と画面で表示される。
（６）操作者はカードの表面に記載されたコード番号を入力する。
接続が開始され、相手が応答するまでの間に広告情報が、音声および／または映像により配信される。
【００１８】
上記（１）〜（６）の操作は最初に通話をするときであり、２度目からは前記（３）から（６）の操作により通話ができる。上記操作によりＰＰＳ番号の入力、ＩＤ、パスワードの入力が簡略化できる。
【００１９】
カードに広告情報が記載されていて、電話をかけるときに相手が応答するまでの間にカードに記載された内容に関連した広告情報が音声または画像で携帯電話に表示されるので、通話料金の一部または全額を広告主が負担することで、利用者は割引または無料で通話をすることができる。
【００２０】
図５、本考案による情報カード１を示したものであり、（ａ）は表面であり、（ｂ）は背面を示したものである。
情報カード１の表面は、好適にデザインされると共に、コード情報（コード番号１２）が記載されている。また、情報カード１の背面には２次元バーコード１３とカードの使用方法、電話のかけ方、注意事項等が記載されている。
このコード番号１２は、広告情報と同一面に印刷されている。即ち、コード番号１２が表面に記載され、且つ、表面のデザインが企業の広告情報として記載された場合は、コード情報を読み取るときに、広告情報が視認されて広告が印象深く残る構造となる。
【００２１】
表面に記載のコード番号１２はセキュリティのチェックは無いので、１つの広告内容で配布するカードが全て同じ番号を用いても良い。背面の２次元バーコード１３のＩＤ番号とパスワードは、通常はユニークな番号を用いるが、広告の期間に合わせて無償で配布するカードにおいては、使用期間が限定されているので、同一のＩＤ番号、パスワードを用いることができる。
【００２２】
情報カード１は、販売または無償で配布されるときに図１または図２に示すような、情報カード１を担持するホルダーとともに情報媒体１０として利用者に渡される。
【図面の簡単な説明】
【００２３】
【図１】第１の形態の情報媒体を示した概観図である。
【図２】情報媒体の構造を説明する説明図である。
【図３】第２の形態の情報媒体を示した概観図である。
【図４】広告配信システムの通信シーケンスを示す図である。
【図５】情報カードの表面および背面の記載内容を示す図である。
【符号の説明】
【００２４】
１  情報カード
２  ホルダー
３、３ａ  デザイン
４  収納袋
５  剥離紙
６  折曲げ部
７  ミシン目
８  接着部
９  吊下げ用ホール
１０  情報媒体
１２  コード番号
１３  ２次元バーコード
１４  係止部
【図１】
0003107644.tif 000003
【図２】
0003107644.tif 000004
【図３】
0003107644.tif 000005
【図４】
0003107644.tif 000006
【図５】
0003107644.tif 000007
【手続補正書】
【提出日】平成16年9月10日(2004.9.10)
【手続補正１】
【補正対象書類名】実用新案登録請求の範囲
【補正対象項目名】請求項１
【補正方法】変更
【補正の内容】
【請求項１】
通話サービスを提供するサービス事業者センタが、通話接続待機中に音楽・映像を、企業名と共に配信するように構成されたシステムで使用される板状で矩形の形状を有する情報カードであって、
前記情報カードの背面には、前記サービス事業者センタに接続するための、電話番号、ＩＤ番号、パスワードが記載され、前記情報カードの表面には、前記ＩＤ番号に関連付けられて配信される前記音楽・映像の内容および／または広告情報が表示されていることを特徴とする情報カード。
【手続補正２】
【補正対象書類名】明細書
【補正対象項目名】０００４
【補正方法】変更
【補正の内容】
【０００４】
前記目的を達成するために本考案の請求項１は、通話サービスを提供するサービス事業者センタが、通話接続待機中に音楽・映像を、企業名と共に配信するように構成されたシステムで使用される板状で矩形の形状を有する情報カードであって、前記情報カードの背面には、前記サービス事業者センタに接続するための、電話番号、ＩＤ番号、パスワードが記載され、前記情報カードの表面には、前記ＩＤ番号に関連付けられて配信される前記音楽・映像の内容および／または広告情報が表示されていることを特徴とする。